(57)【特許請求の範囲】
【請求項１】
シャッタ開口を開閉する開放羽根群及び閉鎖羽根群と、前記両羽根群の間に配置してある仕切板とを有するフォーカルプレーンシャッタにおいて、
前記仕切板に設けてあるシャッタ開口の縁のうち、前記両羽根群の走行方向にほぼ直交する１対の縁は、前記両羽根群が前記シャッタ開口を覆うために走行する際に、前記両羽根群のスリット形成羽根が接近する側の縁を傾斜縁に、他方の縁を直線縁に形成し、
前記一方の羽根群用の直線縁は、前記他方の羽根群用の傾斜縁により形成される前記シャッタ開口の隅部よりも前記シャッタ開口の中心寄りに位置する
ことを特徴とするフォーカルプレーンシャッタ。
【請求項２】
請求項１において、前記仕切板は２枚で構成され、一方の仕切板に前記開放羽根群用の傾斜縁と直線縁を、他方の仕切板に前記閉鎖羽根群用の傾斜縁と直線縁をそれぞれ形成し、一方の仕切板の直線縁が他方の仕切板の傾斜縁により形成される前記シャッタ開口の隅部よりも前記シャッタ開口の中心寄りに位置するように前記両仕切板が重ね合わされていることを特徴とするフォーカルプレーンシャッタ。
【請求項３】
請求項１において、前記仕切板は１枚で構成され、前記仕切板のシャッタ開口の１対の縁の板厚を２分して、一方の面側に前記開放羽根群用の傾斜縁と直線縁を、他方の面側に前記閉鎖羽根群用の傾斜縁と直線縁をそれぞれ形成し、前記一方の傾斜縁と他方の直線縁とは、１つの縁を構成するものであることを特徴とするフォーカルプレーンシャッタ。
【発明の詳細な説明】
【０００１】
【発明の属する技術分野】
本発明は、フォーカルプレーンシャッタに関するものである。
【０００２】
【従来の技術】
従来のフォーカルプレーンシャッタとして、図３に示しているように、平行リンクを構成する複数のアームによってそれぞれ支持され、かつ複数個に分割されてなる開放羽根群Ａと閉鎖羽根群Ｂの２組のシャッタ羽根を作動せしめて、基板１のシャッタ開口１ａを開閉する形式のものがある。この構成の場合、シャッタ作動時に折り畳まれる羽根群と展開する羽根群との直接の衝突を避けるために両羽根群の間に仕切板Ｃを配設している。
【０００３】
この仕切板Ｃは、両羽根群の走行方向にほぼ直交する１対の縁部を、ほぼＶ字形状に広がる傾斜縁Ｃ１と直線縁Ｃ２とで形成している。仕切板Ｃにより両羽根群同士の衝突が防止され、傾斜縁Ｃ１により閉鎖羽根群Ｂのスリット形成羽根が仕切板Ｃにぶつかってかみ込むことが防止される。開放羽根群Ａのスリット形成羽根が衝突しやすい直線縁Ｃ２が直線状になっているのは、開放羽根群Ａのスリット形成羽根が直線縁Ｃ２に近づく時はシャッタのリセット状態時であるため、羽根の動きが比較的ゆっくりしており、縁を傾斜させなくても直線縁Ｃ２に衝突してかみ込む可能性が低いためである。
【０００４】
他の例として、例えば、実開平５−４５６５９号公報には、中間仕切り部材として、羽根群の走行方向にほぼ直交する１対の縁部がそれぞれほぼＶ字形状に広がって傾斜し、Ｖ字状の頂点の一方に溝を形成した構成のものが示されている。
【０００５】
【発明が解決しようとする課題】
従来の構成のうち図３に示すものは、Ｖ字状の切れ込みをより深くしてスリット形成羽根に対して縁の角度をつけた方がスリット形成羽根が仕切板Ｃにぶつかってかみ込むことを防止するには好ましいが、切れ込みを深くすると光漏れの問題点がある。第２の従来例では、Ｖ字状の頂点の一方に溝を形成するので、光漏れを起こさないように別の部材を設けなければならない問題点がある。
本発明のフォーカルプレーンシャッタは、仕切板の構成を変えることにより、スリット形成羽根が仕切板にぶつかってかみ込むことを防止すると共に、光漏れを無くし、コストの低減を達成する。
【０００６】
【課題を解決するための手段】
本発明のフォーカルプレーンシャッタは、シャッタ開口を開閉する開放羽根群及び閉鎖羽根群と、両羽根群の間に配置してある仕切板とを有するフォーカルプレーンシャッタにおいて、仕切板に設けてあるシャッタ開口の縁のうち、両羽根群の走行方向にほぼ直交する１対の縁は、両羽根群がシャッタ開口を覆うために走行する際に、両羽根群のスリット形成羽根が接近する側の縁を傾斜縁に、他方の縁を直線縁に形成し、一方の羽根群用の直線縁は、他方の羽根群用の傾斜縁により形成されるシャッタ開口の隅部よりもシャッタ開口の中心寄りに位置することを特徴としている。このようにスリット形成羽根が接近する側の縁を傾斜縁に形成することで、羽根が仕切板にぶつかってかみ込むことを防止し、直線縁が傾斜縁により形成されるシャッタ開口の隅部よりもシャッタ開口の中心寄りに位置することで、光漏れを無くすることができる。
【０００７】
また、仕切板は２枚で構成され、一方の仕切板に開放羽根群用の傾斜縁と直線縁を、他方の仕切板に閉鎖羽根群用の傾斜縁と直線縁をそれぞれ形成し、一方の仕切板の直線縁が他方の仕切板の傾斜縁により形成されるシャッタ開口の隅部よりもシャッタ開口の中心寄りに位置するように両仕切板が重ね合わされていることが好ましい。
【０００８】
また、仕切板は１枚で構成され、仕切板のシャッタ開口の１対の縁の板厚を２分して、一方の面側に開放羽根群用の傾斜縁と直線縁を、他方の面側に閉鎖羽根群用の傾斜縁と直線縁をそれぞれ形成し、一方の傾斜縁と他方の直線縁とは、１つの縁を構成するものであることが好ましい
なお、直線縁は実質的に直線であればよく、例えば傾斜縁よりも傾斜角の小さい複数の直線部によりＶ字状等をなすようにしてもよい。
【０００９】
【発明の実施の形態】
本発明の実施の一形態について図面を参照して説明する。
図１において、図示しないカメラの撮影レンズに対向して配設した基板１に、シャッタ開口１ａが形成されている。基板１には軸２、３、４が立設してあり、それぞれの軸に不図示のセットレバー、開放レバー、閉鎖レバーが回動自在に軸支されている。基板１には、軸３及び軸４を中心とする円弧状のガイド孔５及び６が形成してあり、開放レバー及び閉鎖レバーにそれぞれ突設してある駆動ピンがガイド孔５，６を貫通して移動可能になっている。
【００１０】
開放レバー及び閉鎖レバーには図示しない駆動ばねが掛け止めてあり、セット完了状態では各レバーの軟磁性板がそれぞれの電磁石装置に吸着されている。露光時には開放レバーが吸着から解放されて駆動ばねにより開放羽根をシャッタ開口から退避させて露光状態となり、所定時間経過後に、閉鎖レバーが吸着から解放されて駆動ばねにより閉鎖羽根を広げてシャッタ開口を閉じて１コマ分の撮影を終了する。更にリセット動作により開放羽根を広げてシャッタ開口を閉じてセット完了状態に戻るようになっている。
【００１１】
基板１の背面側に、摺動板７が固着してあり、また、開放羽根群８が設けてある。開放羽根群８は、スリット形成羽根８ａと複数の覆い羽根８ｂ〜８ｅとからなり、平行リンク機構を構成する複数のアーム９に回転自在に支えられている。開放羽根群８の背面側に、後で詳細に説明する仕切板１０及び１１が配設してある。仕切板１０及び１１には、基板１と同じくシャッタ開口１０ａ，１１ａが形成してある。
【００１２】
仕切板１１の背面側に、閉鎖羽根群１２が設けてある。閉鎖羽根群１２は、スリット形成羽根１２ａと複数の覆い羽根１２ｂ〜１２ｄとからなり、平行リンク機構を構成する複数のアーム１３に回転自在に支えられている。閉鎖羽根群１２の背面側に摺動板１４が配設してあり、この摺動板１４はその背面側に配設されている受板１５に固着されている。受板１５には基板１と同じくシャッタ開口１５ａが形成してあり、基板１に設けたガイド孔５，６と対向位置にガイド孔１６，１７が開設してある。シャッタ開口１５ａの背後に図示しないフィルムが配設される。
【００１３】
仕切板１０及び１１について説明する。従来の構成として図３で説明したものは、１枚の仕切板Ｃの両羽根群の走行方向にほぼ直交する１対の縁部が、ほぼＶ字形状に広がる傾斜縁Ｃ１と直線縁Ｃ２となっているものであり、光漏れを起こさないよう、切れ込みは深くできないという問題を生ずるものであった。そこで本発明においては、２枚の仕切板１０及び１１を用い、相互に反対側の一方の縁を、Ｖ字状の傾斜縁に形成し、この傾斜縁に対向する他方の縁を直線縁に形成することとしている。
【００１４】
即ち、仕切板１０では、開放羽根群８がシャッタ開口１０ａから退避した状態のときに、開放羽根群８のうち一番下位にあって仕切板１０に常に接している覆い羽根８ｅが当接する側の縁を直線縁１０ｂとし、開放羽根群８がシャッタ開口１０ａを覆うように走行する時にスリット形成羽根８ａが接近する側の縁をＶ字状の傾斜縁１０ｃとしている。
【００１５】
また、仕切板１１では、閉鎖羽根群１２がシャッタ開口１１ａから退避した状態のときに、閉鎖羽根群１２のうち一番上位にあって仕切板１１に常に接している覆い羽根１２ｄが当接する側の縁を直線縁１１ｂとし、閉鎖羽根群１２がシャッタ開口１１ａを覆うように走行する時にスリット形成羽根１２ａが接近する側の縁をＶ字状の傾斜縁１１ｃとしている。
【００１６】
仕切板１０と１１とを重ね合わせると、直線縁１０ｂと傾斜縁１１ｃとが重なり、傾斜縁１０ｃと直線縁１１ｂとが重なる。そして、一方の羽根群用の直線縁１０ｂ，１１ｂは、他方の羽根群用のＶ字状の傾斜縁１１ｃ，１０ｃにより形成されるシャッタ開口の縁のＶ字状の頂点に相当する隅部１１ｃ１，１０ｃ１よりも、シャタ開口１０ａ，１１ａの中心寄りに位置している。したがって、仕切板１０と１１とを重ね合わせた状態では、両隅部１０ｃ１と１１ｃ１とは、直線縁１１ｂと１０ｂとでそれぞれ塞がれることになり、この部分からの光漏れが生じなくなる。
【００１７】
このような構成であるので、閉鎖羽根群１２が、シャッタ開口１１ａを再び覆う状態に走行する際には、スリット形成羽根１２ａは傾斜縁１１ｃの存在により仕切板１１にぶつかってかみ込むことなく円滑に走行する。同様に開放羽根群８は、シャッタ開口１０ａから左上縁の外部へ退避して露光状態になり、閉鎖羽根群１２によりシャッタ開口１０ａが覆われて露光動作終了状態になった後で、再びシャッタ開口１０ａを覆うセット完了状態に戻る際に、スリット形成羽根８ａは傾斜縁１０ｃの存在により仕切板１０にぶつかってかみ込むことなく円滑に走行する。
【００１８】
図２に本発明の実施の他の形態としての仕切板２０を示している。仕切板２０は、プラスチック材により形成されており、基板１と同じくシャッタ開口２０ａが設けてあり、開放羽根群及び閉鎖羽根群の走行方向にほぼ直交する１対の縁部が、それぞれ厚み方向に２分されて、上面側には直線縁２０ｂと傾斜縁２０ｃが、下面側には傾斜縁２０ｄと直線縁２０ｅが形成してある。したがって、図面左上の一方の縁は、直線縁２０ｂと傾斜縁２０ｄとで１つの縁を構成し、傾斜縁の隅部２０ｄ１は直線縁２０ｂにより塞がれている。また、図面右下の他方の縁は、傾斜縁２０ｃと直線縁２０ｅとで１つの縁を構成し、傾斜縁の隅部２０ｃ１は直線縁２０ｅにより塞がれている。図１の開放羽根群８は、この仕切板２０の上部に配置され、図１の閉鎖羽根群１２は、この仕切板２０の下部に配置される。作動については前記と同様である。なお、直線縁は実質的に直線であればよく、例えば傾斜縁よりも傾斜角の小さい複数の直線部によりＶ字状等をなすようにしてもよい。
【００１９】
【発明の効果】
本発明のフォーカルプレーンシャッタは、仕切板のシャッタ開口の縁に傾斜縁を設けているので、開放羽根群及び閉鎖羽根群のいずれのスリット形成羽根も仕切板にぶつかってかみ込むことがなく、また、傾斜縁の縁部は直線縁によって塞がれているので、傾斜縁によって開口が広げられても光漏れを生じることがない。１枚の仕切板の開口の縁を厚み方向に２分して傾斜縁と直線縁とで１つの縁を形成することにより、前記と同様の効果に加えて製造が簡単にでき、コストの低減を達成できる。
【図面の簡単な説明】
【図１】本発明の実施の一形態を示す分解斜視図である。
【図２】同、仕切板の他の形態を示す拡大斜視図である。
【図３】従来の分解斜視図である。
【符号の説明】
１                              基板
１ａ，１０ａ，１１ａ，２０ａ    シャッタ開口
８                              開放羽根群
１０，１１，２０                仕切板
１０ｂ，１１ｂ，２０ｂ，２０ｅ  直線縁
１０ｃ，１１ｃ，２０ｃ，２０ｄ  傾斜縁
１０ｃ１，１１ｃ１              隅部
２０ｃ１，２０ｄ１              隅部
１２                            閉鎖羽根群
【図１】
0004418121.tif 000002
【図２】
0004418121.tif 000003
【図３】
0004418121.tif 000004